(57)【要約】      （修正有）【課題】使用時にベッド部の境界部分（継ぎ目）が臀部の荷重を受けて、経年変化により変形することを少なくした折り畳みベッドを提供する。【解決手段】フレーム上にマットレスを組み込んだ２個のベッド部を直列し、フレーム隣接辺を枢結すると共に、少なくとも一方のベッド部をフレームに枢結したキャスター付脚部で支持して、逆Ｖ字状から直立状態に移行して折り畳み可能にしてなる全長が１８０〜２２０ｃｍの二つ折りベッドにおいて、フレーム上にマットレスを組み込んだ２個のベッド部を長さが５〜１０ｃｍの範囲で異ならせた長ベッド部１と短ベッド部２で構成する。【選択図】図３
0003198768.tif 000002
【実用新案登録請求の範囲】
【請求項１】
フレーム上にマットレスを組み込んだ２個のベッド部を直列し、フレーム隣接辺を枢結すると共に、少なくとも一方のベッド部をフレームに枢結したキャスター付脚部で支持して、逆Ｖ字状から直立状態に折り畳み可能にしてなる折り畳みベッドにおいて、ベッドの全長が１８０〜２２０ｃｍで、ベッド部を、長さが５〜１０ｃｍの範囲で異ならせた長ベッド部と短ベッド部で構成してなることを特徴とする折り畳みベッド。
【請求項２】
キャスター付脚部が、固定脚部と枢結脚部と中間脚部で構成され、固定脚部が、長ベッド部のフレーム端辺の中央部分に固定したコの字状の固定脚枠における脚枠下端に設けた支持キャスターと、前記脚枠の上辺に設けた接地キャスターを備えて形成され、枢結脚部が、短ベッド部のフレーム側縁所定位置に枢結した支持脚と、支持脚下方に連設して折り畳んだ長短ベッド部を安定支持できる長さの足部と、足部前後端に設けたキャスターを備えて形成され、中間脚部が隣接するフレームにそれぞれ枢結する連結部から垂設した脚杆の下端にキャスターを設けて形成してなる請求項１記載の折り畳みベッド。
【考案の詳細な説明】
【技術分野】
【０００１】
本考案は、前後中間部分から二つ折りに折り畳まれる折り畳みベッドに関するものである。
【背景技術】
【０００２】
前後中間部分を枢結して逆Ｖ状に移行して二つに折り畳まれるベッドは、特許文献１，２に開示されているように、フレーム上にマットレストを組み込んでなる二分割のベッド部をフレームの隣接辺で枢結して逆Ｖ字状に折り畳み可能とし、折り畳み操作をスムーズに行うために、キャスターを備えた脚部を設けるに際して、一方のフレームに固定脚を、他方のフレームに枢結脚を設け、更に固定脚には折畳後に床面に接地する接地キャスターを設けている。
【先行技術文献】
【特許文献】
【０００３】
【特許文献１】特開２００２−３４７２１号公報。
【特許文献２】特開２００５−３４４０１号公報。
【考案の概要】
【考案が解決しようとする課題】
【０００４】
従前の二つ折りとする折り畳みベッドは、二つ折り収納時のコンパクト化の効率を考慮して、長手方向（身長方向）で等分に二分割されている。このためベッドの使用時には、ベッドに対して他所より荷重が加わる臀部が丁度分割箇所であるマットレスの継ぎ目（境界部分）にあたり、このマットレスの継ぎ目はマットレスの縁側に該当するために変形しやすいことになり、また就寝時に前記継ぎ目が身体に感じると寝心地を悪くする。
【０００５】
そこで本考案は、非均等二分割の新規な折り畳みベッドを提案したものである。
【課題を解決するための手段】
【０００６】
本考案の請求項１記載に係る折り畳みベッドは、フレーム上にマットレスを組み込んだ２個のベッド部を直列し、フレーム隣接辺を枢結すると共に、少なくとも一方のベッド部をフレームに枢結したキャスター付脚部で支持して、逆Ｖ字状から直立状態に折り畳み可能にしてなる折り畳みベッドにおいて、ベッドの全長が１８０〜２２０ｃｍで、ベッド部を、長さが５〜１０ｃｍの範囲で異ならせた長ベッド部と短ベッド部で構成してなることを特徴とするものである。
【０００７】
而して前記ベッドは、長ベッド部と短ベッド部が直列状態で使用され、両ベッド部の境界がベッドの中間位置よりずれることになり、特に日本人成年男性の平均身長（１６６．２ｃｍ）で同平均座高（１７歳基準）が９２ｃｍであるから、５ｃｍ以上境界がずれることによって、大多数の使用者において、その使用時の臀部の支持範囲が当該境界部分から外れることになる。ずれ長さが大きくなるほど、境界部分から臀部の支持範囲が外れることになるが、差異を大きくすると折り畳み時の全高が高くなり、運搬などに不便であり、特にコンテナ輸送を考慮すると１０ｃｍ程度が限界値である。
【考案の効果】
【０００８】
本考案の構成は上記のとおり、逆Ｖ止形状から直立状態に移行して折畳まれるベッドにおいて、長さの異なる長ベッド部と短ベッド部で構成し、ベッド部の境界部分（継ぎ目）からずれた位置に、荷重負担が大きくなる臀部が当たるようにして、境界部分のマットレスの経年変化による変形を少なくしたものである。
【図面の簡単な説明】
【０００９】
【図１】本考案の実施形態の全体正面図。
【図２】同一部切断した平面図。
【図３】同折り畳み時の正面図。
【考案を実施するための形態】
【００１０】
次に本発明の実施形態につて説明する。実施形態に示した折り畳みベッドは、長ベッド部１、短ベッド部２、固定脚部３、枢結脚部４、中間脚部５で構成される。
【００１１】
長ベッド部１及び短ベッド部２は、所定の大きさの長フレーム１１及び短フレーム２１に長マットレス１２及び短マットレス２２を組み込んだもので、ベッド全長は１８０〜２２０ｃｍで、長短ベッド部１，２の長さの差異は５〜１０ｃｍの範囲とするものである。例えば長ベッド部１は１０４０ｃｍ（Ａ）で、短ベッド部２を９４０ｃｍ（Ｂ）として、その差異を１０ｃｍ（Ｃ）とすると、全長２１８０ｃｍ（一般的なベッド長である）となる。
【００１２】
前記の長ベッド部１及び短ベッド部２は、直列してフレーム隣接辺を枢結して、逆Ｖ字状から直立状態に折り畳み可能にしてなるもので、枢結構造は後述する中間脚部５の連結部５１の両端でそれぞれ長短フレーム１１，２１と枢結するものである。
【００１３】
固定脚部３は、固定脚枠３１と、支持キャスター３２と、接地キャスター３３を備えてなり、固定脚枠３１は下方開口コの字状で、長マットレス１２よりも上方に突出させ、下端に支持キャスター３２を下設し、前記固定脚枠３１の上辺に外側に接地キャスター３３を突設したものである。
【００１４】
枢結脚部４は、逆Ｔ字状となる支持脚４１及び足部４２と、ブレーキ機能付のキャスター４３からなり、支持脚４１は、短ベッド部２の短フレーム２１の両側縁所定位置（図３に示すとおり、長短ベッド部１，２を折り畳んだ際に、キャスター４３と接地キャスター３３と同一高さとなる位置）に枢結し、足部４２は、長短ベッド部１，２を折り畳んだ際に長短ベッド部１，２を安定支持できる長さとし、この足部の前後端にキャスター４３を設けたものである。
【００１５】
中間脚部５は、連結部５１と脚杆５２と支持キャスター５３を備えてなり、連結部５１は、隣接する長短フレーム１１，２１の側縁に添わせてそれぞれと枢結してなり、脚杆５２は前記連結部５１から垂設し、下端に支持キャスター５３を設けてなるものである。
【００１６】
而して前記ベッドは、長ベッド部１と短ベッド部２が直列状態で使用され、支持キャスター３２，５３及びブレーキ状態のキャスター４３でベッドを支持して使用するものである。
【００１７】
折り畳みは、連結部の枢結箇所を回動軸として長ベッド部１と短ベッド部２を逆Ｖ状から直立状態に移行することで折り畳まれるものである（図３）。そして折り畳んだベッドはキャスター４３のブレーキを解除することで所望の位置に移動して収納する事ができるものである。
【００１８】
特に本考案は、長ベッド部１と短ベッド部２の長さが相違（１０ｃｍ＝Ｃ）するので、長短ベッド部１，２の境界部分（継ぎ目）がベッド前後の中心からずれた位置となり、荷重負担が大きくなる臀部が当境界部分に当たらないようにし、境界部分の経年変化による変形が少なくなるものである。
【００１９】
また同一全長のベッドと比較して１／２Ｃ（５ｃｍ）高くなるが、最大５ｃｍ程度では収納に支障が生じない範囲である。
【符号の説明】
【００２０】
１      長ベッド部
１１    長フレーム
１２    長マットレス
２      短ベッド部
２１    短フレーム
２２    短マットレス
３      固定脚部
３１    固定脚枠
３２    支持キャスター
３３    接地キャスター
４      枢結脚部
４１    支持脚
４２    足部
４３    キャスター
５      中間脚部
５１    連結部
５２    脚杆
５３    支持キャスター
【図１】
0003198768.tif 000003
【図２】
0003198768.tif 000004
【図３】
0003198768.tif 000005